(57)【要約】【課題】端末ユーザがインターネット広告に基づいて、その広告で紹介する指定商品をネット外の実店舗で購入した場合に、その購入の直接のきっかけとなったインターネット広告の媒体サイトを比較的簡単なシステム構成でもって、ユーザ側にとくに煩雑な操作手順を要求することなく、高精度に特定する。【解決手段】端末ユーザが広告媒体サイトをクリックして広告主サイトにリダイレクトされた際に、その端末から取得される端末ＩＤを広告媒体サイトおよび広告主と関連づけて記録し、その端末ユーザが広告に係る指定商品を購入してその商品のパッケージや添付シールに印刷されている確認ページＵＲＬにアクセスして、そのＵＲＬとともに印刷されているユニークなシリアルＩＤを送信して来た場合に、このシリアルＩＤをその端末から取得される端末ＩＤと関連づけて記録し、上記２つの記録を使って当該商品購入のきっかけとなった広告媒体サイトを特定する。【選択図】  図１
2010250752.tif 000002
【特許請求の範囲】
【請求項１】
インターネット上において、広告媒体サイト内の広告バナーが、インターネットに接続されたＷＥＢブラウザおよびＱＲコードリーダ対応カメラを搭載した携帯端末によってクリックされた際に、その携帯端末をその広告バナーに関連づけされた広告主サイトへ誘導して、その広告主が指定する商品の紹介を行い、その指定商品の紹介を受けた携帯端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記携帯端末によってクリックされた際に、そのクリックを行った携帯端末のＩＤ（以下、端末ＩＤ）を取得し、これを広告媒体サイトおよび広告主と関連づけてデータベースに記録することを行い、
第２のプロセスとして、広告主サイトに商品購入確認ページを設置し、広告主の指定商品のパッケージや添付シールに、ユニークなシリアルＩＤをパラメータとして含む商品購入確認ページのＵＲＬを画像変換したＱＲコード（商標名）を印刷する一方、
そのＱＲコードをＱＲコードリーダ対応カメラで読み取ることによって商品購入確認ページのＵＲＬを通知された携帯端末が、そのＵＲＬにアクセスした際は、その商品購入確認ページのサイト側が、その携帯端末の端末ＩＤを上記シリアルＩＤとともに取得し、これらを関連づけてデータベースに記録することを行い、
第３のプロセスとして、上記シリアルＩＤと関連づけられて記録された端末ＩＤと、上記第１のプロセスにて記録された端末ＩＤとを照合し、両プロセス間で合致する端末ＩＤが存在した場合に、第１のプロセスで広告バナーをクリックした携帯端末のユーザが指定商品を購入したと判定し、この購入判定に基づいて上記広告媒体サイトに対する広告報酬量を更新することを行う、
ことを特徴とするアフィリエイト・トラッキングシステム。
【請求項２】
インターネット上において、広告媒体サイト内の広告バナーが、インターネットに接続されたＷＥＢブラウザ搭載の携帯端末によってクリックされた際に、その携帯端末をその広告バナーに関連づけされた広告主サイトへ誘導して、その広告主が指定する商品の紹介を行い、その指定商品の紹介を受けた携帯端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記携帯端末によってクリックされた際に、そのクリックを行った携帯端末のＩＤ（以下、端末ＩＤ）を取得し、これを広告媒体サイトおよび広告主と関連づけてデータベースに記録することを行い、
第２のプロセスとして、広告主サイトに商品購入確認ページを設置し、広告主の指定商品のパッケージや添付シールに、ユニークなシリアルＩＤと、そのシリアルＩＤの入力を入力フォームによって補助する商品購入確認ページのＵＲＬの文字記述を印刷する一方、
上記携帯端末が商品購入確認ページのＵＲＬにアクセスした際は、その商品購入確認ページのサイト側が、その携帯端末の端末ＩＤと、その携帯端末から上記入力フォームを用いて入力されたシリアルＩＤを取得し、これらを関連づけてデータベースに記録することを行い、
第３のプロセスとして、第２のプロセスにて上記シリアルＩＤと関連づけられて記録された端末ＩＤと、上記第１のプロセスにて記録された端末ＩＤとを照合し、両プロセス間で合致する端末ＩＤが存在した場合に、第１のプロセスで広告バナーをクリックした携帯端末のユーザが指定商品を購入したと判定し、この購入判定に基づいて上記広告媒体サイトに対する広告報酬量を更新することを行う、
ことを特徴とするアフィリエイト・トラッキングシステム。
【請求項３】
インターネット上において、広告媒体サイト内の広告バナーが、インターネットに接続されたＷＥＢブラウザ搭載のパーソナル・コンピュータ等の情報端末（以下ＰＣ端末）によってクリックされた際に、そのＰＣ端末をその広告バナーに関連づけされた広告主サイトへ誘導して、その広告主が指定する商品の紹介を行い、その指定商品の紹介を受けたＰＣ端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記ＰＣ端末によってクリックされた際に、そのクリックを行ったＰＣ端末に、広告媒体サイトおよび広告主と関連づけたユニークキーを、クッキー（ＨＴＴＰ  ｃｏｏｋｉｅ）としてＰＣ端末に記録するとともに、データベースに記録することを行う、
第２のプロセスとして、広告主サイトに商品購入確認ページを設置し、広告主の指定商品のパッケージや添付シールに、ユニークなシリアルＩＤと、そのシリアルＩＤの入力を入力フォームによって補助する商品購入確認ページのＵＲＬの文字記述を印刷する一方、
上記ＰＣ端末が商品購入確認ページのＵＲＬにアクセスした際は、その商品購入確認ページのサイト側が、そのＰＣ端末にクッキーとして記録されたユニークキーと、そのＰＣ端末から上記入力フォームを用いて入力されたシリアルＩＤを取得し、これらを関連づけてデータベースに記録することを行い、
第３のプロセスとして、第２のプロセスにて上記シリアルＩＤと関連づけられて記録されたユニークキーと、上記第１のプロセスにて記録されたユニークキーとを照合し、両プロセス間で合致するユニークキーが存在した場合に、第１のプロセスで広告バナーをクリックしたＰＣ端末のユーザが指定商品を購入したと判定し、この購入判定に基づいて上記広告媒体サイトに対する広告報酬量を更新することを行う、
ことを特徴とするアフィリエイト・トラッキングシステム。
【請求項４】
請求項１〜３のシステムであって、第２のプロセスにてシリアルＩＤまたはユニークキーと関連づけられた端末ＩＤと同じ端末ＩＤの端末が、複数の広告媒体サイト上の広告バナーをそれぞれクリックしたことが第１のプロセスにて記録されていた場合は、第２のプロセスでの端末ＩＤまたはユニークキーの読み取り日時に最も近い日時でクリックされた広告バナーの広告媒体サイトを報酬対象とすることを特徴とするアフィリエイト・トラッキングシステム。
【請求項５】
請求項１〜４のシステムであって、商品のパッケージや添付シールに印刷されたシリアルＩＤを登録するデータベースを有し、このデータベースに端末からシリアルＩＤが通知された際、そのシリアルＩＤがデータベースに登録されているＩＤか否かを照合し、当該ＩＤが登録されており、かつ初めて照合された場合は、商品の購入判定と照合済みのフラグ処理を行い、当該シリアルＩＤが登録されていない、または照合済みであった場合は、商品の購入判定を行わないことを特徴とするシステム。
【請求項６】
請求項１〜５のシステムであって、広告バナーに広告媒体サイト内の会員ＩＤがパラメータとして付与されていた場合、第１のプロセスでは、広告バナーが携帯端末またはＰＣ端末によってクリックされた際に、そのクリックを行った端末の端末ＩＤまたはクッキーとして端末に記録されたユニークキーを、広告媒体サイト、この広告媒体サイト内の会員ＩＤ、および広告主と関連づけて記録し、第３のプロセスでは、商品の購入判定に基づいて上記広告媒体サイト内の会員ＩＤに対する広告報酬量を更新することを特徴とする携帯アフィリエイト・トラッキングシステム。
【発明の詳細な説明】
【技術分野】
【０００１】
本発明は、ネット外での商品購入を追跡するアフィリエイト・トラッキングシステムに関し、具体的には、インターネットアクセスが可能な携帯端末（携帯電話端末）やＰＣ（パーソナル・コンピュータ）等の情報端末ユーザが、インターネット上のアフィリエイト広告（成功報酬型広告）に基づいて、指定の商品をネット外で購入したか否かを追跡・確認するようにしたシステムに関する。
【背景技術】
【０００２】
インターネット広告では、アフィリエイトと呼ばれる成功報酬型の広告が普及している。このアフィリエイトでは、たとえば個人が開設するブログなどの広告媒体サイト（パートナーサイトあるいは提携サイトとも呼ぶ）内に貼られている広告バナーをクリックした端末ユーザが、オンライン上での購買や登録などの所定のアクションに至った場合、これを広告の成功とみなして報酬（広告料）の対象とする。
【０００３】
このアフィリエイト広告システムでは、成功報酬の支払い対象となる広告媒体サイトを確定するため、広告バナーをクリックした端末ユーザのその後のアクションを追跡するプログラムいわゆるトラッキングシステムが開発されている（たとえば、特許文献１〜４参照）。
【０００４】
インターネット広告の対象（広告ターゲット）はインターネットアクセスが可能な情報端末のユーザ（端末ユーザ）である。情報端末としては、ＷＥＢブラウザ機能とＱＲコードリーダ対応カメラを搭載した携帯端末、カメラは非搭載だがＷＥＢブラウザ機能を搭載した携帯端末、インターネットに接続されたＰＣなどがあるが、これらの情報端末のユーザはインターネット上の広告に基づいて商品を購買することが多い。
【０００５】
インターネット広告に基づいて商品の購入を決定した端末ユーザは、その広告にハイパーリンクされているインターネット上のネットショップ（仮想店舗）でその広告商品の購入申し込みを完了させることが多い。このようなインターネット上での購買アクションについては、そのきっかけとなったインターネット広告の媒体サイトがアフリエイトの報酬対象となる。この報酬対象となる広告媒体サイトを追跡して特定するのがアフリエイト・トラッキングシステムである。
【先行技術文献】
【特許文献】
【０００６】
【特許文献１】特開２００１−１１７８４７号公報
【特許文献２】特開２００２−１１７３１８号公報
【特許文献３】特開２００２−１５７４９４号公報
【特許文献４】特許３７９２７号公報
【発明の概要】
【発明が解決しようとする課題】
【０００７】
インターネット広告の効果は、インターネット上のネットショップでの購買行動だけではなく、ネット外の実店舗での購買行動にも表れる。たとえば、広告媒体サイト内に貼られている広告バナーをクリックしてそのリダイレクト先である広告主サイトを閲覧した端末ユーザが、その広告主サイトに載っていた広告の商品を実店舗である小売店で購入する場合もある。
【０００８】
しかし、その広告商品をネット外の実店舗で購入した端末ユーザが、インターネット上のどこの媒体サイトで広告バナーをクリックしたかは、従来のアフリエイト・トラッキングシステムで追跡できない。従来のアフリエイト・トラッキングシステムが追跡するのは、ネット上で完結する取り引き（売買成約）であって、ネット外での取り引きは対象外である。
【０００９】
仮に、インターネット広告の効果を媒体サイトごとに正当に評価しようとするならば、ネット外の取り引き結果も正確に測定する必要がある。このためには、広告媒体サイト内の広告バナーをクリックした端末ユーザに対して指定商品の紹介を行い、その紹介を受けた端末ユーザが指定商品を購入した場合には、その購入がネット上またはネット外のいずれで行われたとしも、その購入アクションの直接のきっかけとなった広告媒体サイトに対する報酬量を加算更新できるようなアフィリエイトシステムが望まれる。
【００１０】
本発明の目的は、端末ユーザがインターネット広告に基づいて、その広告で紹介する指定商品をネット外の実店舗で購入した場合に、その購入の直接のきっかけとなったインターネット広告の媒体サイトを、比較的簡単なシステム構成でもって、ユーザ側にとくに煩雑な操作手順を要求することなく、高精度に特定することが可能なアフリエイト・トラッキングシステムを提供することにある。
【課題を解決するための手段】
【００１１】
本発明は次のような解決手段（１）〜（６）を提供する。  
（１）インターネット上において、広告媒体サイト内の広告バナーが、インターネットに接続されたＷＥＢブラウザおよびＱＲコードリーダ対応カメラを搭載した携帯端末によってクリックされた際に、その携帯端末をその広告バナーに関連づけされた広告主サイトへ誘導して、その広告主が指定する商品の紹介を行い、その指定商品の紹介を受けた携帯端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記携帯端末によってクリックされた際に、そのクリックを行った携帯端末のＩＤ（以下、端末ＩＤ）を取得し、これを広告媒体サイトおよび広告主と関連づけてデータベースに記録することを行い、
第２のプロセスとして、広告主サイトに商品購入確認ページを設置し、広告主の指定商品のパッケージや添付シールに、ユニークなシリアルＩＤをパラメータとして含む商品購入確認ページのＵＲＬを画像変換したＱＲコード（商標名）を印刷する一方、
そのＱＲコードをＱＲコードリーダ対応カメラで読み取ることによって商品購入確認ページのＵＲＬを通知された携帯端末が、そのＵＲＬにアクセスした際は、その商品購入確認ページのサイト側が、その携帯端末の端末ＩＤを上記シリアルＩＤとともに取得し、これらを関連づけてデータベースに記録することを行い、
第３のプロセスとして、上記シリアルＩＤと関連づけられて記録された端末ＩＤと、上記第１のプロセスにて記録された端末ＩＤとを照合し、両プロセス間で合致する端末ＩＤが存在した場合に、第１のプロセスで広告バナーをクリックした携帯端末のユーザが指定商品を購入したと判定し、この購入判定に基づいて上記広告媒体サイトに対する広告報酬量を更新することを行う、
ことを特徴とするアフィリエイト・トラッキングシステム。
【００１２】
（２）インターネット上において、広告媒体サイト内の広告バナーが、インターネットに接続されたＷＥＢブラウザ搭載の携帯端末によってクリックされた際に、その携帯端末をその広告バナーに関連づけされた広告主サイトへ誘導して、その広告主が指定する商品の紹介を行い、その指定商品の紹介を受けた携帯端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記携帯端末によってクリックされた際に、そのクリックを行った携帯端末のＩＤ（以下、端末ＩＤ）を取得し、これを広告媒体サイトおよび広告主と関連づけてデータベースに記録することを行い、
第２のプロセスとして、広告主サイトに商品購入確認ページを設置し、広告主の指定商品のパッケージや添付シールに、ユニークなシリアルＩＤと、そのシリアルＩＤの入力を入力フォームによって補助する商品購入確認ページのＵＲＬの文字記述を印刷する一方、
上記携帯端末が商品購入確認ページのＵＲＬにアクセスした際は、その商品購入確認ページのサイト側が、その携帯端末の端末ＩＤと、その携帯端末から上記入力フォームを用いて入力されたシリアルＩＤを取得し、これらを関連づけてデータベースに記録することを行い、
第３のプロセスとして、第２のプロセスにて上記シリアルＩＤと関連づけられて記録された端末ＩＤと、上記第１のプロセスにて記録された端末ＩＤとを照合し、両プロセス間で合致する端末ＩＤが存在した場合に、第１のプロセスで広告バナーをクリックした携帯端末のユーザが指定商品を購入したと判定し、この購入判定に基づいて上記広告媒体サイトに対する広告報酬量を更新することを行う、
ことを特徴とするアフィリエイト・トラッキングシステム。
【００１３】
（３）インターネット上において、広告媒体サイト内の広告バナーが、インターネットに接続されたＷＥＢブラウザ搭載のパーソナル・コンピュータ等の情報端末（以下ＰＣ端末）によってクリックされた際に、そのＰＣ端末をその広告バナーに関連づけされた広告主サイトへ誘導して、その広告主が指定する商品の紹介を行い、その指定商品の紹介を受けたＰＣ端末ユーザが当該商品を購入したことが所定手順によって確認できた場合に、広告主サイト、そのリンク元となった広告媒体サイト、およびその広告媒体サイト内の広告バナーをクリックした携帯端末を関連づけて記録するとともに、この記録に基づいて広告媒体サイトに対する広告報酬量を更新するアフィリエイト・トラッキングシステムであって、
第１のプロセスとして、広告媒体サイト内の広告バナーが上記ＰＣ端末によってクリックされた際に、そのクリックを行ったＰＣ端末に、広告媒体サイトおよび広告主と関連づけたユニークキーを、クッキー（ＨＴＴＰ  ｃｏｏｋｉｅ）としてＰＣ端末に記録するとともに、データベースに記録することを行う、
第２のプロセスとして、広告主サイトに商品購入確認ページを設置し、広告主の指定商品のパッケージや添付シールに、ユニークなシリアルＩＤと、そのシリアルＩＤの入力を入力フォームによって補助する商品購入確認ページのＵＲＬの文字記述を印刷する一方、
上記ＰＣ端末が商品購入確認ページのＵＲＬにアクセスした際は、その商品購入確認ページのサイト側が、そのＰＣ端末にクッキーとして記録されたユニークキーと、そのＰＣ端末から上記入力フォームを用いて入力されたシリアルＩＤを取得し、これらを関連づけてデータベースに記録することを行い、
第３のプロセスとして、第２のプロセスにて上記シリアルＩＤと関連づけられて記録されたユニークキーと、上記第１のプロセスにて記録されたユニークキーとを照合し、両プロセス間で合致するユニークキーが存在した場合に、第１のプロセスで広告バナーをクリックしたＰＣ端末のユーザが指定商品を購入したと判定し、この購入判定に基づいて上記広告媒体サイトに対する広告報酬量を更新することを行う、
ことを特徴とするアフィリエイト・トラッキングシステム。
【００１４】
（４）上記手段（１）〜（３）のシステムであって、第２のプロセスにてシリアルＩＤまたはユニークキーと関連づけられた端末ＩＤと同じ端末ＩＤの端末が、複数の広告媒体サイト上の広告バナーをそれぞれクリックしたことが第１のプロセスにて記録されていた場合は、第２のプロセスでの端末ＩＤまたはユニークキーの読み取り日時に最も近い日時でクリックされた広告バナーの広告媒体サイトを報酬対象とすることを特徴とするアフィリエイト・トラッキングシステム。
【００１５】
（５）上記手段（１）〜（４）のシステムであって、商品のパッケージや添付シールに印刷されたシリアルＩＤを登録するデータベースを有し、このデータベースに端末からシリアルＩＤが通知された際、そのシリアルＩＤがデータベースに登録されているＩＤか否かを照合し、当該ＩＤが登録されており、かつ初めて照合された場合は、商品の購入判定と照合済みのフラグ処理を行い、当該シリアルＩＤが登録されていない、または照合済みであった場合は、商品の購入判定を行わないことを特徴とするシステム。
【００１６】
（６）上記手段（１）〜（５）のシステムであって、広告バナーに広告媒体サイト内の会員ＩＤがパラメータとして付与されていた場合、第１のプロセスでは、広告バナーが携帯端末またはＰＣ端末によってクリックされた際に、そのクリックを行った端末の端末ＩＤまたはクッキーとして端末に記録されたユニークキーを、広告媒体サイト、この広告媒体サイト内の会員ＩＤ、および広告主と関連づけて記録し、第３のプロセスでは、商品の購入判定に基づいて上記広告媒体サイト内の会員ＩＤに対する広告報酬量を更新する
ことを特徴とする携帯アフィリエイト・トラッキングシステム。
【発明の効果】
【００１７】
端末ユーザがインターネット広告に基づいて、その広告で紹介する指定商品をネット外の実店舗で購入した場合に、その購入の直接のきっかけとなったインターネット広告の媒体サイトを比較的簡単なシステム構成でもって、ユーザ側にとくに煩雑な操作手順を要求することなく、高精度に特定することができ、これにより、媒体サイトに対するアフリエイト報酬評価を実際の広告効果に即して適切に行うことが可能になる。
【図面の簡単な説明】
【００１８】
【図１】本発明の第１実施形態であって、ＱＲコードリーダ対応カメラ搭載携帯端末を追跡対象とするアフリエイト・トラッキングシステムの概略ブロック図である。
【図２】本発明の第１実施形態に係るシステムの動作概要を示すフローチャートである。
【図３】本発明の第２実施形態であって、カメラ非搭載携帯端末を追跡対象とするアフリエイト・トラッキングシステムの概略ブロック図である。
【図４】本発明の第２実施形態に係るシステムの動作概要を示すフローチャートである。
【図５】本発明の第３実施形態であって、ＰＣ端末を追跡対象とするアフリエイト・トラッキングシステムの概略ブロック図である。
【図６】本発明の第３実施形態に係るシステムの動作概要を示すフローチャートである。
【発明を実施するための形態】
【００１９】
＝＝＝第１実施形態（ＱＲコードリーダ対応カメラ搭載携帯端末）＝＝＝
図１と図２は本発明の第１実施形態を示す。  
本発明の第１実施形態によるアフリエイト・トラッキングシステムは、図１に示すように、インターネット接続機能とＱＲコードリーダ対応カメラを搭載した携帯端末を持つユーザの購買行動を追跡するものであって、アフィリエイトサーバ４０、広告主側ウェブサイト５１，５２、およびシリアルＩＤ確認システム７０などによって構築される。シリアルＩＤ確認システム７０には、シリアルＩＤ生成モジュールおよびシリアルＩＤ照会モジュールが含まれている。
【００２０】
アフィリエイトサーバ４０は、提携した広告媒体サイト（アフリエイト）を、アフリエイトＩＤを付して個別に管理する。これとともに、広告主サイトおよび広告対象である指定商品等もそれぞれＩＤを付して管理する。
【００２１】
表１および表２はその管理を行うための媒体サイトＤＢおよび広告データベースの記録内容を例示する。
【表１】
2010250752.tif 000003
【表２】
2010250752.tif 000004
【００２２】
この第１実施形態のシステムが対応するユーザ端末１０は携帯端末であるが、この携帯端末１０には、通話等の携帯端末機能に加えて、ＱＲコードリーダ対応カメラおよびインターネット・コンテンツを閲覧するためのブラウザ機能が搭載されている。
【００２３】
図１に示すアフリエイト・トラッキングシステムは、インターネット上において、広告媒体サイト３１内の広告バナー３２が、インターネットに接続された携帯端末１０によってクリックされた際に、その携帯端末１０をその広告バナー３２に関連づけされた広告主サイト５１へ誘導（リダイレクト）して、その広告主が指定する商品の紹介を行う。
【００２４】
その指定商品の紹介を受けた携帯端末ユーザがその指定商品を購入したことが所定手順によって確認できた場合に、広告主サイト５１、そのリンク元となった広告媒体サイト３１、およびその媒体サイト３１内の広告バナー３２をクリックした携帯端末１０のＩＤ（以下、端末ＩＤ）（ＩＤｍ）を関連づけて記録するとともに、この記録に基づいて広告媒体サイト３１に対する広告報酬量を更新する。
【００２５】
このアフリエイト・トラッキングシステムは、インターネット上のアフィリエイト広告に係る指定商品が、その広告に基づいてネット外で購入されたか否かを追跡・確認するが、図２に示すように、その処理プロセスは便宜的に第１〜第３のプロセスに分けることができる。第１〜第３のプロセスはそれぞれイベントごとのプロセスであって、時系列的な順番が定められているわけではない。
【００２６】
以下、各プロセスについて、図１および図２を参照しながら説明する。
【００２７】
第１のプロセス：
このプロセスでは、広告媒体サイト３１内の広告バナー３２が携帯端末１０によってクリックされた際に、そのクリックを行った携帯端末１０のＩＤ（ＩＤｍ）を、クリックを行ったアクセス日時とともに取得し、表３に例示するように、広告媒体サイト３１および広告主と関連づけてデータベースＤＢ１に記録する。
【表３】
2010250752.tif 000005
【００２８】
第２のプロセス：
このプロセスでは、ユニークなシリアルＩＤ（シリアル番号）（ＩＤｓ）を生成するととともに、このシリアルＩＤ入りのＱＲコード（商標名）８１を生成する。
【００２９】
アフィリエイト広告に係る指定商品については、そのパッケージや添付シールに特定のＱＲコード８１をあらかじめ印刷する。そのＱＲコード８１は、ユニークなシリアルＩＤ（ＩＤｓ）をパラメータとして含む広告主の商品購入確認ページＵＲＬを、所定の規則に従って二次元のＱＲコードに変換したものであって、その情報内容は携帯端末１０のＱＲコードリーダ対応カメラで読み取って復号することができる。携帯端末１０は、そのＱＲコード８１を読み取る操作だけで、そのＱＲコード８１に含まれるＵＲＬが通知される。
【００３０】
シリアルＩＤ（ＩＤｓ）は、シリアルＩＤ確認システム７０のシリアルＩＤ生成モジュールにて生成・発行される。発行されたシリアルＩＤ（ＩＤｓ）は、所定の商品購入確認ページＵＲＬに付属させられる形で、ＱＲコード８１の情報に含められる。
【００３１】
ＱＲコード８１は指定商品のパッケージや添付シールに印刷する。これとともに、そのＱＲコード８１に商品購入確認ページＵＲＬとともに含められたシリアルＩＤ（ＩＤｓ）を、その生成日時とともに、シリアルＩＤ照会モジュールのデータベースＤＢ２に記録する。
【００３２】
ここで、ＱＲコード８１については、正当な購入者以外によるＱＲコード８１の盗み読み取り、いわゆるデジタル万引きを防止するため、購入して開封しなければ確認できないよう、商品パッケージの内側や、一度剥がすと再度貼付できないシールの裏側などに印刷する。
【００３３】
指定商品を購入した端末ユーザが、その指定商品に付属しているＱＲコード８１を携帯端末１０のＱＲコードリーダ対応カメラで読み取ると、そのＱＲコード８１に含められている商品購入確認ページＵＲＬがその携帯端末１０に通知される。通知された商品購入確認ページＵＲＬにはシリアルＩＤ（ＩＤｓ）が付属している。
【００３４】
携帯端末がその商品購入確認ページＵＲＬにアクセスすると、そのアクセス先の商品購入確認ページでは、その携帯端末１０の端末ＩＤ（ＩＤｍ）と上記シリアルＩＤ（ＩＤｓ）を取得し、これらをアクセス日時と関連づけてデータベースＤＢ３に記録する。
【００３５】
表４は、シリアルＩＤ（ＩＤｓ）を管理するデータベースＤＢ２の記録内容を例示する。
【表４】
2010250752.tif 000006
【００３６】
この表４の例示では、シリアルＩＤが便宜的に連番としているが、実際は飛び番または所定の暗号化規則で生成されたランダム文字列が使用される。各シリアルＩＤはそれぞれ有効期間が定められているとともに、指定商品を購入したユーザの端末１０から一度取得されたシリアルＩＤすなわち使用済みシリアルＩＤについては、その取得日時（読み取り日時）とともに、すでに読み取って使用済みであることを示すフラグが付される（フラグ処理）。
【００３７】
第３のプロセス：
携帯端末１０から取得したシリアルＩＤ（ＩＤｓ）をシリアルＩＤ照合モジュールにて照合・検査する。この照合・検査では、取得したシリアルＩＤがシリアルＩＤ照会モジュールのデータベースＤＢ２に登録された正規のシリアルＩＤであるか否かの判定と、正規のシリアルＩＤであっても既に照合がされているか否かの判定（フラグ処理）を行う。判定の結果はそれぞれ所定の確認メッセージを付して携帯端末１０に表示させる。
【００３８】
シリアルＩＤ（ＩＤｓ）の照合・検査の結果、そのシリアルＩＤ（ＩＤｓ）がデータベースＤＢ２にあらかじめ登録された正規のシリアルＩＤであり、かつ、以前に照合がされたことがない未使用のシリアルＩＤであったならば、第１のプロセスで広告バナー３２をクリックした携帯端末１０のユーザが指定商品を購入したと判定する。
【００３９】
この購入確認の判定が出た場合、その携帯端末１０がどこに広告媒体サイト３１の広告バナー３２をクリックしたのかを特定する。つまり、リンク元の広告媒体サイト（パートナーサイト）３１を特定する。
【００４０】
この特定は、第１のプロセスにてデータベースＤＢ１に広告主およびアクセス日時と関連づけて記録されている端末ＩＤ（ＩＤｍ）と、第３のプロセスにてデータベースＤＢ３にシリアルＩＤ（ＩＤｓ）およびアクセス日時と関連づけて記録されている端末ＩＤ（ＩＤｍ）とを照合することにより行える。
【００４１】
この照合により、指定商品を購入したユーザの携帯端末１０がクリックを行った広告媒体サイト３１を特定して広告報酬量の加算対象とする。同広告媒体サイト３１がポイントサイトであった場合は会員ＩＤ毎に広告ポイントを加算更新する。つまり、表５に例示するような成功アクションデータを作成する。
【表５】
2010250752.tif 000007
【００４２】
この場合、同じ携帯端末１０が複数の広告媒体サイト３１にアクセスしてそれぞれに広告バナー３２のクリックを行っていた場合には、データベースＤＢ１に記録されているアクセス日時を比較し、最近のアクセス日時（クリック日時）が記録されている広告媒体サイト３１を広告報酬ポイントあるいは広告ポイントの加算対象とする。
【００４３】
以上のように、本発明の第１実施形態によるアフリエイト・トラッキングシステムによれば、端末ユーザがインターネット広告に基づいて、その広告で紹介する指定商品をネット外の実店舗で購入した場合に、その購入の直接のきっかけとなったインターネット広告の媒体サイト３１を比較的簡単なシステム構成でもって、ユーザ側にとくに煩雑な操作手順を要求することなく、高精度に特定することができる。これにより、媒体サイト３１に対するアフリエイト報酬評価を実際の広告効果に即して適切に行うことが可能になる。
【００４４】
＝＝＝第２実施形態（ＱＲコードリーダ対応カメラ非搭載携帯端末）＝＝＝
図３と図４は本発明の第２実施形態を示す。  
この第２実施形態のアフリエイト・トラッキングシステムは、インターネット接続機能は有するがＱＲコードリーダ対応カメラは有しない携帯端末１０を追跡の対象とする。
【００４５】
上述した第１実施形態との相違に着目して説明すると、この第２実施形態では、アフィリエイト広告に係る指定商品のパッケージや添付シールに印刷するのが、ＱＲコード８１ではなく、目視読み取りが可能な文字記述８２である。この文字記述８２の内容には、ユニークなシリアルＩＤと商品購入確認ページのＵＲＬが含まれている。つまり、シリアルＩＤとＵＲＬが印刷される。
【００４６】
広告主サイト５２内には商品購入確認ページが設置されているが、この商品購入確認ページはユニークなシリアルＩＤの入力を補助する入力フォームを有する。指定商品を購入した携帯端末ユーザが、その商品のパッケージや添付シールに印刷されている文字記述８２に基づいて、その商品購入確認ページのＵＲＬをアクセスすると、その商品購入確認ページは携帯端末１０に対し、シリアルＩＤの入力を補助する入力フォームを送信する。携帯端末ユーザは、その入力フォームにより、商品のパッケージや添付シールに印刷されているシリアルＩＤを比較的簡単に入力して商品購入確認ページへ送信することができる。
【００４７】
これにより、商品購入確認ページにアクセスした携帯端末１０からその端末ＩＤ（ＩＤｍ）と上記フォームに入力されたシリアルＩＤ（ＩＤｓ）を取得し、これらを関連づけてデータベースＤＢ３に記録することができる。
【００４８】
以下、この第２実施形態での各プロセス（第１〜第３）を、図３および図４を参照しながら説明する。
【００４９】
第１のプロセス：
広告媒体サイト３１内の広告バナー３２が携帯端末１０によってクリックされた際に、そのクリックを行った携帯端末１０のＩＤ（ＩＤｍ）を、クリックを行ったアクセス日時とともに取得して、広告媒体サイト３１および広告主と関連づけてデータベースＤＢ１に記録する。
【００５０】
第２のプロセス：
ユニークなシリアルＩＤ（ＩＤｓ）を生成し、このシリアルＩＤと商品購入確認ページＵＲＬを記述した文字記述８２を、指定商品のパッケージや添付シールに印刷する。これとともに、そのシリアルＩＤ（ＩＤｓ）を、その生成日時とともに、シリアルＩＤ照会モジュールのデータベースＤＢ２に記録する。
【００５１】
文字記述８２については、正当な購入者以外による盗み読み取り、いわゆるデジタル万引きを防止するため、購入して開封しなければ確認できないよう、商品パッケージの内側や、一度剥がすと再度貼付できないシールの裏側などに印刷する。
【００５２】
指定商品を購入した端末ユーザが、その指定商品に付属している文字記述８２内の商品購入確認ページＵＲＬをアクセスすると、アクセスを受けた商品購入確認ページは携帯端末１０に対してシリアルＩＤの入力フォームを送信する。確認ページ側では、携帯端末ユーザがその入力フォームを使って入力したシリアルＩＤ（ＩＤｓ）を、携帯端末１０の端末ＩＤ（ＩＤｍ）とともに取得し、これらをアクセス日時と関連づけてデータベースＤＢ３に記録する。
【００５３】
第３のプロセス：
第１実施形態の場合と同様、第２のプロセスにて携帯端末１０から取得したシリアルＩＤ（ＩＤｓ）をシリアルＩＤ照合モジュールにて照合・検査し、この照合・検査に基づいて、その端末１０のユーザに指定商品の購入きっかけをもたらした広告媒体サイト３１を特定し、広告報酬量の加算対象とする。他の処理についても第１実施形態の場合と同様である。
【００５４】
＝＝＝第３実施形態（ＰＣ端末等に対応したトラッキングシステム）＝＝＝
図５と図６は本発明の第３実施形態を示す。  
この第３実施形態のアフリエイト・トラッキングシステムは、追跡の対象とする情報端末が、インターネット接続およびＷＥＢブラウザ機能を搭載したパソコン等のＰＣ端末１０である点で、第１，第２の実施形態と相違する。
【００５５】
この第３実施形態では、端末１０の識別をその端末１０にクッキーとして記録（書込）されたユニークキー（ＨＴＴＰ  ｃｏｏｋｉｅ）によって行う。端末１０の照合およびこの照合に基づく広告媒体サイト３１の特定は、そのユニークキーを用いて行う。つまり、ユニークキーが端末ＩＤとして機能する。
【００５６】
以下、この第３実施形態での各プロセス（第１〜第３）を、図５および図６を参照しながら説明する。
【００５７】
第１のプロセス：
広告媒体サイト３１内の広告バナー３２がＰＣ端末１０によってクリックされた際に、そのクリックを行ったＰＣ端末１０に、広告媒体サイトおよび広告主と関連づけたユニークキーを、クッキーとしてデータベースに記録する。これとともに、そのユニークキーを、クリックを行ったアクセス日時とともに、データベースＤＢ１に記録する。
【００５８】
第２のプロセス：
ユニークなシリアルＩＤ（ＩＤｓ）を生成し、このシリアルＩＤと商品購入確認ページＵＲＬを記述した文字記述８２を、指定商品のパッケージや添付シールに印刷する。これとともに、そのシリアルＩＤ（ＩＤｓ）を、その生成日時とともに、シリアルＩＤ照会モジュールのデータベースＤＢ２に記録する。
【００５９】
文字記述８２については、正当な購入者以外による盗み読み取り、いわゆるデジタル万引きを防止するため、購入して開封しなければ確認できないよう、商品パッケージの内側や、一度剥がすと再度貼付できないシールの裏側などに印刷する。
【００６０】
指定商品を購入した端末ユーザが、その指定商品に付属している文字記述８２内の商品購入確認ページＵＲＬをアクセスすると、アクセスを受けた商品購入確認ページはＰＣ端末１０に対してシリアルＩＤの入力フォームを送信する。確認ページ側では、ＰＣ端末ユーザがその入力フォームを使って入力したシリアルＩＤ（ＩＤｓ）を取得するとともに、そのＰＣ端末１０にクッキーとして記録されているユニークキーを取得し、これらをアクセス日時と関連づけてデータベースＤＢ３に記録する。
【００６１】
第３のプロセス：
端末１０の識別が端末ＩＤではなく、クッキーとしてＰＣに記録されたユニークキーによって行うこと以外は、第１，第２の実施形態の場合と同様である。すなわち、第２のプロセスにてＰＣ端末１０から取得したシリアルＩＤ（ＩＤｓ）をシリアルＩＤ照合モジュールにて照合・検査し、この照合・検査に基づいて、その端末１０のユーザに指定商品の購入きっかけをもたらした広告媒体サイト３１を特定し、広告報酬量の加算対象とする。他の処理についても第１および第２実施形態の場合と同様である。
【００６２】
＝＝＝各実施例に共通して望ましい付加構成＝＝＝
上述した第１〜第３の実施形態にはそれぞれ以下のような構成手段（１）〜（３）が付加されているが、これにより、ネット外での商品購入の追跡や成功報酬の対象とする広告媒体サイトの特定を一層的確に行うことができる。
【００６３】
（１）第２のプロセスにてシリアルＩＤまたはユニークキーと関連づけられた端末ＩＤと同じ端末ＩＤの端末１０が、複数の広告媒体サイト３１上の広告バナー３２をそれぞれクリックしたことが第１のプロセスにて記録されていた場合は、第２のプロセスでの端末ＩＤまたはユニークキーの読み取り日時に最も近い日時でクリックされた広告バナー３２の広告媒体サイト３１を報酬対象とする。  
これにより、指定商品を購入した端末ユーザが複数の広告媒体サイト３１をアクセスしても、どの広告媒体サイト３１の広告バナー３２が購入きっかけに大きく関与したかを定めることができる。
【００６４】
（２）商品のパッケージや添付シールに印刷されたシリアルＩＤを登録するデータベースを有し、このデータベースに端末からシリアルＩＤが通知された際、そのシリアルＩＤがデータベースに登録されているＩＤか否かを照合し、当該ＩＤが登録されており、かつ初めて照合された場合は、商品の購入判定と照合済みのフラグ処理を行い、当該シリアルＩＤが登録されていない、または照合済みであった場合は、商品の購入判定を行わない。  
これにより、登録されていない正規外のシリアルＩＤの排除すること、正規のシリアルＩＤであって二重使用されることがそれぞれ確実に防止される。このために使用するシリアルＩＤは連番ではなく、飛び番または所定の暗号化規則で生成されたランダム文字列とすることが望ましい。
【００６５】
（３）広告バナー３２に広告媒体サイト３１内の会員ＩＤがパラメータとして付与されていた場合、第１のプロセスでは、広告バナー３２が携帯端末またはＰＣ端末によってクリックされた際に、そのクリックを行った端末１０の端末ＩＤまたはクッキーとして端末に記録されたユニークキーを、広告媒体サイト、この広告媒体サイト内の会員ＩＤ、および広告主と関連づけて記録し、第３のプロセスでは、商品の購入判定に基づいて上記広告媒体サイト内の会員ＩＤに対する広告報酬量を更新する。  
これにより、特定の会員に対してポイント等の広告報酬量を選別的に行わせることができる。
【符号の説明】
【００６６】
１０  携帯端末やＰＣ端末等の情報端末
３１  広告媒体サイト
３２  広告バナー
４０  アフィリエイトサーバ
５１，５２  広告主側ウェブサイト、
７０  シリアルＩＤ確認システム
８１  ＱＲコード
８２  文字記述
ＩＤｍ  端末ＩＤ
ＩＤｓ  ユニークなシリアルＩＤ（シリアル番号）
ＤＢ１，ＤＢ２，ＤＢ３  データベース
【図１】
2010250752.tif 000008
【図２】
2010250752.tif 000009
【図３】
2010250752.tif 000010
【図４】
2010250752.tif 000011
【図５】
2010250752.tif 000012
【図６】
2010250752.tif 000013